(57)【要約】【課題】  警備システムのセンサ装置に反応してしまう装置の動作もしくは機能を禁止あるいは禁止解除する制御を警備システムの作動、作動解除に連動して制御する画像形成装置および誤警報防止システムを提供する。【解決手段】  警備システム端末２０は、警備センサ６０にて警備エリア８３を警備し、警備センサ６０が作動するとネットワーク５０経由で各画像形成装置３００に作動通知を行い、画像形成装置３００は、動作制御情報３０５２に基づいて警備センサ６０が検出する光、音、熱の発生を伴う動作を禁止し、電源制御情報３０５１に基づいて省エネルギーモードへの移行もしくは電源ＯＦＦ制御を行う。【選択図】  図１
2006272618.tif 000002
【特許請求の範囲】
【請求項１】
警備センタへの警報通知機能を具備する警備システム端末に接続された画像形成装置において、
前記警備システム端末から警報ステータス情報を受信する受信手段と、
前記受信手段により受信した警報ステータス情報に対応して装置動作を制御する制御手段と
を具備することを特徴とする画像形成装置。
【請求項２】
前記制御手段は、
前記受信手段で受信した警報ステータス情報が前記警備システム端末の警報機能作動を示す場合は、装置動作を該警備システム端末が監視する各種警備センサに反応しない警備センサ対応モードに制御し、前記警備システム端末の警報機能解除を示す場合は、該警備センサ対応モードを解除する
ことを特徴とする請求項１記載の画像形成装置。
【請求項３】
前記警備センサ対応モードは、
自動プリントジョブ、光の点灯、および可聴音による報知を禁止する動作モードである
ことを特徴とする請求項２記載の画像形成装置。
【請求項４】
前記警備センサ対応モードは、
装置を省エネルギー状態に制御する省エネルギーモードである
ことを特徴とする請求項２記載の画像形成装置。
【請求項５】
前記制御手段は、
前記受信手段で受信した前記警報ステータス情報が前記警備システム端末の警報機能作動を示す場合は、前記装置電源をオフに制御する
ことを特徴とする請求項１記載の画像形成装置。
【請求項６】
警備センタへの警報通知機能を具備する警備システム端末に画像形成装置を接続した誤警報防止システムであって、
前記警備システム端末は、
前記画像形成装置に警報ステータス情報を通知する通知手段
を具備し、
前記画像形成装置は、
前記通知手段により通知された警報ステータス情報に対応して前記警備システム端末の警報通知機能が誤作動しない状態に装置動作を制御する制御手段と
を具備することを特徴とする誤警報防止システム。
【請求項７】
前記警備システム端末は、
前記制御手段により前記装置動作の制御が完了した後前記警報通知機能を有効にする
ことを特徴とする請求項６記載の誤警報防止システム。
【請求項８】
警備センタへの警報通知機能を具備する警備システム端末に１または複数の画像形成装置を管理する管理サーバを接続した誤警報防止システムであって、
前記警備システム端末は、
前記管理サーバに警報ステータス情報を通知する通知手段
を具備し、
前記管理サーバは、
前記通知手段により通知された警報ステータス情報および前記画像形成装置の管理情報に基づき前記画像形成装置に動作制御情報と電源制御情報を送信する送信手段
を具備し、
前記画像形成装置は、
前記送信手段により送信された動作制御情報と電源制御情報に基づき前記警備システム端末の警報通知機能が誤作動しない状態に装置動作を制御する制御手段
を具備することを特徴とする誤警報防止システム。
【請求項９】
前記警備システム端末は、
前記制御手段により前記装置動作の制御が完了した後前記警報通知機能を有効にする
ことを特徴とする請求項８記載の誤警報防止システム。
【発明の詳細な説明】
【技術分野】
【０００１】
本発明は、画像形成装置および誤警報防止システムに関し、特に、警備システム端末の警報通知機能が誤作動しない状態に装置動作を制御する技術に関する。
【背景技術】
【０００２】
装置動作を制御する画像形成装置に関する技術として、操作部からの禁止設定操作によって複合機のコピー、ファクシミリ機能、スキャナ機能を、個別に禁止する技術として特許文献１に記載された「原稿読取記憶装置」がある。
【０００３】
また、クライアント端末からネットワークに接続された複数台の画像形成装置に対して、電源制御情報を設定して、電源ＯＦＦ／ＯＮ制御を行う技術として、特許文献２に記載の「クライアント端末装置、画像形成装置、サーバ端末装置、画像形成システム、画像形成方法および記憶媒体」が開示されている。
【特許文献１】特開２００４−０８８２７４号公報。
【特許文献２】特開２００１−２１６１１８号公報。
【発明の開示】
【発明が解決しようとする課題】
【０００４】
警備システムが作動する夜間において、オフィスに設置された複合機のファクシミリ機能の自動受信プリント機能に警備システムのセンサ装置が反応してセキュリティ会社に誤報連絡が入るといった問題が生じている。
【０００５】
警備システムは、通常、最終退勤者が作動操作を行うので、作動開始時刻が不規則である。したがって、プリント禁止時間帯を固定で管理する方法では、上記の誤報に対する問題を解決することができない。
【０００６】
また、上記特許文献１の技術を使用して、装置の提供サービスを個別に禁止する方法が考えられるが、装置の操作部からの操作が必要で、外部装置からの遠隔操作ができず、操作が面倒である。
【０００７】
また、センサ装置が作動する時間帯においても、業務の都合上停止することができない自動受信プリント機能等の待ち受けサービスがある場合、その停止できないサービスが実行されるとセンサ装置に反応してしまうといったケースがあり、同様に上記誤報の問題を解決することができない。
【０００８】
また、上記特許文献２の技術を使用し、最終退勤者により複数ある各装置の電源ＯＦＦ操作をクライアント端末から操作する方法が考えられるが、端末の台数が多い場合、電源ＯＦＦの対象端末をユーザが選別する手間が生じ、また、操作ミスによる電源ＯＦＦ設定の漏れが生じ、同様に上記誤報の問題を解決することができない。
【０００９】
そこで、本発明は、警備システムのセンサ装置の作動に連動して、センサ装置に反応してしまう装置の動作、機能を禁止し、センサ装置の作動解除に連動して、禁止した動作、機能の解除を自動で行うことができる画像形成装置および誤警報防止システムの提供を目的とする。
【課題を解決するための手段】
【００１０】
上記目的を達成するために、請求項１の発明は、警備センタへの警報通知機能を具備する警備システム端末に接続された画像形成装置において、警備システム端末から警報ステータス情報を受信する受信手段と、受信手段により受信した警報ステータス情報に対応して装置動作を制御する制御手段とを具備することを特徴とする。
【００１１】
また、請求項２の発明は、請求項１の発明において、受信手段で受信した警報ステータス情報が警備システム端末の警報機能作動を示す場合は、装置動作を該警備システム端末が監視する各種警備センサに反応しない警備センサ対応モードに制御し、警備システム端末の警報機能解除を示す場合は、該警備センサ対応モードを解除することを特徴とする。  また、請求項３の発明は、請求項２の発明において、警備センサ対応モードは、自動プリントジョブ、光の点灯および可聴音による報知を禁止する動作モードであることを特徴とする。
【００１２】
また、請求項４の発明は、請求項２の発明において、警備センサ対応モードは、装置を省エネルギー状態に制御する省エネルギーモードであることを特徴とする。
【００１３】
また、請求項５の発明は、請求項１の発明において、制御手段は、受信手段で受信した警報ステータス情報が警備システム端末の警報機能作動を示す場合は、装置電源をオフに制御することを特徴とする。
【００１４】
また、請求項６の発明は、警備センタへの警報通知機能を具備する警備システム端末に画像形成装置を接続した誤警報防止システムであって、警備システム端末は、画像形成装置に警報ステータス情報を通知する通知手段を具備し、画像形成装置は、通知手段により通知された警報ステータス情報に対応して警備システム端末の警報通知機能が誤作動しない状態に装置動作を制御する制御手段とを具備する。
【００１５】
また、請求項７の発明は、請求項６の発明において、警備システム端末は、制御手段により装置動作の切り替えが完了した後、警報通知機能を有効にすることを特徴とする。
【００１６】
また、請求項８の発明は、警備センタへの警報通知機能を具備する警備システム端末に１または複数の画像形成装置を管理する管理サーバを接続した誤警報防止システムであって、警備システム端末は、管理サーバに警報ステータス情報を通知する通知手段を具備し、管理サーバは、通知手段により通知された警報ステータス情報および画像形成装置の管理情報に基づき画像形成装置に動作制御情報と電源制御情報を送信する送信手段を具備し、画像形成装置は、送信手段により送信された動作制御情報と電源制御情報に基づき警備システム端末の警報通知機能が誤作動しない状態に装置動作を制御する制御手段を具備することを特徴とする。
【００１７】
また、請求項９の発明は、請求項８の発明において、警備システム端末は、制御手段により装置動作の制御が完了した後、警報通知機能を有効にすることを特徴とする。
【発明の効果】
【００１８】
本発明の画像形成装置および誤警報防止システムによれば、以下の効果を得ることができる。
【００１９】
１）警備エリアに設置された画像形成装置が稼動中に発する、音、熱、光を防犯センサが検出することによる誤警報の発生を防止することができる。
【００２０】
２）警備システム端末における警備機能の作動、作動解除操作に連動して画像形成装置が自動制御され、全端末のモード切り替え処理の完了を待って警備センタに作動、作動解除を通知するので、各画像形成装置間の制御のズレによる誤警報を防止することができる。
【００２１】
３）警報機能作動操作にともなう最終退勤者による電源ＯＦＦ操作の手間を省くとともに、電源ＯＦＦ操作の漏れによる無駄な電力の消費、誤警報の発生を防止することができる。
【００２２】
４）警備エリアに設置された画像形成装置を含む各装置を管理する管理サーバにて各装置のモード切り替え制御を行う構成により、警備システム端末におけるセンサ装置の作動、作動解除にともなうリモート制御の処理負荷を、一部管理サーバに移管して軽減し、警備エリアにおける装置のレイアウト変更による設定変更作業を不要とする誤警報防止システムを提供することができる。
【発明を実施するための最良の形態】
【００２３】
本発明の画像形成装置および誤警報防止システムの実施の形態について添付図面を参照しながら説明する。
【実施例１】
【００２４】
本発明の画像形成装置および誤警報防止システムの第１の例を示すシステム構成図である。
【００２５】
図１において、誤警報防止システムは、警備センタ装置１０と警備システム端末２０が、公衆回線７０を介して接続され、光、熱、音を検出する警備センサ６０によって警備エリア８３内の異常を検出すると警備センタ装置１０に警報を通知する警備システムに対し、警備センサ６０が作動を開始した場合に、警備システム端末２０の警報通知機能が誤作動しないように画像形成装置を制御するシステムである。
【００２６】
警備システム端末２０にて監視される警備エリア８３には、コピー機能、ファクシミリ機能、スキャナ機能、プリンタ機能を提供する複合機としての画像形成装置３００が複数台設置され、画像形成装置３００は、ネットワーク５０を介して警備システム端末２０にデータ通信制御が可能に接続される。
【００２７】
警備システム端末２０は、警備センサ６０の作動、警備センサ６０の作動解除を通知する「警備解除モード」を通知する警備ステータスをネットワーク５０経由で各画像形成装置３００に送信する。
【００２８】
画像形成装置３００は、警備システム端末２０から受信した警備ステータスの内容と、各画像形成装置３００に設定された動作制御情報に基づいて、警備センサ６０が検出する光、音、熱の発生を伴う動作もしくはその動作を伴う機能の使用禁止、禁止解除の設定切り替えを自動制御する機能、電源制御情報に基づいて電源ＯＦＦあるいは省エネルギーモードへの移行を自動制御する機能を有する。
【００２９】
警備センサ６０が反応する画像形成装置３００の動作の具体例としては、操作パネルのバックライト等の光点灯、プリンタユニットにて制御される定着装置が印刷時に発する熱やプリント音、画像形成装置の状態をユーザに知らせる音等の可聴音がある。
【００３０】
また、画像形成装置３００は、受信した警備ステータスにて「警備センサ対応モード」への移行を通知された場合、各画像形成装置３００にて管理される電源制御情報３１３に基づいて、省エネルギーモード、もしくは、電源ＯＦＦの制御を自動で行う。
【００３１】
図２は、図１に示した誤警報防止システムにおいて、警備センサ６０の作動、警備センサ６０の作動解除の処理を示したシーケンス図である。
【００３２】
最終退勤者８１が警備システム端末２０に対して、警備センサ６０の作動開始を指示する操作を行うと、警備システム端末２０は、警備システム端末２０に登録した各画像形成装置３００に対して「警備ステータス」を送信し、「警備センサ対応モード」への移行を指示する。
【００３３】
画像形成装置３００は、警備システム端末２０から警備ステータスを受信すると、「警備センサ対応モード」に移行して警備システム端末２０の警報通知機能が誤作動しない動作制御を行い、「警備センサ対応モード」への移行完了応答を警備システム端末２０に送信する。
【００３４】
警備システム端末２０は、各画像形成装置３００から「警備センサ対応モード」への移行完了応答を所定の時間内に全て受信すると、警備センサ６０の作動による警備エリア８３の監視を開始し、警備システムが作動したことを通知する信号を公衆回線７０にて警報センタ装置１０に送信する。
【００３５】
出勤者８２が警備システム端末２０に対して警備センサ６０の作動解除を行う操作が行うと、警備システム端末２０は、警備センサ６０の作動を停止し、管理対象となる各画像形成装置３００に対して、警備センサ６０の作動解除を通知する警備ステータスを送信する。
【００３６】
警備ステータスを受信した画像形成装置３００は、「通常モード」への切り替え制御を行って禁止していた動作を解除し、「通常モード」への復帰応答を警備システム端末２０に応答する。
【００３７】
電源制御情報によって電源ＯＦＦされた画像形成装置３００以外の画像形成装置３００全てから「通常モード」への復帰完了を通知する応答データの受信が完了すると、警備センサ６０の作動解除を通知する信号を警報センタ装置１０に送信する。
【００３８】
また、電源ＯＦＦになった画像形成装置３００においては、ユーザの手動操作によって電源ＯＮ制御を行い、起動処理が完了すると起動完了通知を警備システム端末２０に送信し、警備システム端末２０は通知が行われた画像形成装置３００の端末管理情報の登録データの内容を、電源ＯＮの状態に更新する。
【００３９】
図３は、警備システム端末２０の制御構成を示したブロック図である。
【００４０】
図３において、警備システム端末２０は、システム制御部２１、通信制御部２２、操作表示部２３、センサ管理部２４、記憶部２５を有する。
【００４１】
システム制御部２１は、警備システム端末２０全体を制御し、警備センサ６０にて検出される異常を警報センタ装置１０に通知する従来の警備システムの制御機能に加え、警備センサ６０の作動、作動解除を画像形成装置３００に送信する。
【００４２】
リモート制御部２１１は、操作表示部２３による警備センサ６０の作動、作動解除の操作を検出して、画像形成装置３００に対して検出内容を警備ステータスとして送信する。
【００４３】
通信制御部２２は、ＩＰ網通信制御部２２１と、公衆網通信制御部２２２を有する。
【００４４】
ＩＰ網通信制御部２２１は、ネットワーク５０を介して接続される画像形成装置３００に対して警備ステータスの送信を行い、画像形成装置３００から応答データを受信してシステム制御部２１に出力する。
【００４５】
公衆網通信制御部２２２は、公衆回線７０を介して接続される警報センタ装置１０に対して、警備センサ６０の作動通知信号、警備センサ６０の作動解除信号、警備センサ６０による異常検出信号の送信を行う。
【００４６】
操作表示部２３は、警備システム端末２０に対する警備センサ６０の作動操作、警備センサ６０の作動解除操作、警備ステータスを通知する画像形成装置３００の登録、削除操作、登録した画像形成装置３００に対する電源制御情報３０５１、動作制御情報３０５２の設定操作を行うための入力キー、表示器を有するユーザーインターフェースである。
【００４７】
記憶部２５は、警備システム端末２０を制御するためのシステムパラメータ、制御プログラムを記憶して管理し、特に、警備ステータスを通知する画像形成装置３００の宛先情報を記憶して管理する端末管理情報２５１を記憶する。
【００４８】
端末管理情報２５１は、図５（Ａ）に示すように、警備システム端末２０が警備ステータスを通知する画像形成装置３００を含むネットワーク５０を介して接続された装置のアドレス情報、装置名称が記録される管理情報であり、操作表示部２３からの設定操作によって登録される情報である。
【００４９】
センサ管理部２４は、音、光、熱に反応する警備センサ６０の作動、作動停止を制御するとともに、異常を検出した警備センサ６０の識別情報、および検出内容をシステム制御部２１に出力する。
【００５０】
次に、画像形成装置３００の制御構成について説明する。
【００５１】
図４は、図１に示した画像形成装置３００の制御構成を示すブロック図である。
【００５２】
図４において、画像形成装置３００は、画像形成装置制御部３０１、リモート制御部３０１１、通信制御部３０３、画像処理部３０４、画像形成装置記憶部３０５、スキャナユニット３０８、プリンタユニット３０９、ＦＡＸユニット３１０、操作表示部３０２を有する。
【００５３】
画像形成装置制御部３０１は、画像形成装置３００全体の制御を行い、プリンタ機能、ファクシミリ機能、スキャナ機能、コピー機能を提供する。
【００５４】
リモート制御部３０１１は、警備システム端末２０から受信する警備ステータスの解析を行って、「警備センサ対応モード」、「通常モード」の切り替えをシステム制御部２１に指示し、画像形成装置３００は、「警備センサ対応モード」、「通常モード」別の電源制御情報３０５１、動作制御情報３０５２の設定パラメータに基づいて、「警備センサ対応モード」、「通常モード」別の動作制御、電源制御を行う。
【００５５】
通信制御部３０３は、ネットワーク５０にて接続される警備システム端末２０との間にてＴＣＰ／ＩＰによるデータ通信制御を行う。
【００５６】
また、通信制御部３０３は、公衆回線７０を介したファクシミリ通信を行う。
【００５７】
画像処理部３０４は、画像データの符号化、復号化、拡大、縮小処理を行う。
【００５８】
画像形成装置記憶部３０５は、画像形成装置３００の制御パラメータ、制御プログラムを記憶し、特に、警備システム端末２０の宛先情報、電源制御情報３０５１、動作制御情報３０５２を記憶し、画像蓄積部３０５３を有する。
【００５９】
電源制御情報３０５１は、図５（Ｂ）に示すように、「警備センサ対応モード」に移行する際に、省エネルギーモードに移行するか、電源をＯＦＦにするかが記録される。
【００６０】
動作制御情報３０５２は、図５（Ｃ）に示すように画像形成装置３００が提供する各サービスに対する動作を、警備システムが作動した場合における「警備センサ対応モード」と、警備システムが作動解除された場合の「通常モード」それぞれにおけるサービスの禁止、あるいは、動作制御を行うためのパラメータが記録される。
【００６１】
画像蓄積部３０５３は、自動受信プリント機能を禁止にした際に受信した画像データを、プリント機能が再開されるまでの間一時的に保存する記憶領域である。
【００６２】
スキャナユニット３０８は、所定の解像度にて原稿画像の読み取り処理を行う。
【００６３】
プリンタユニット３０９は、所定の解像度により画像の形成処理を行って、記録紙に対する印刷出力を行う。
【００６４】
ＦＡＸユニット３１０は、画像データの符号化、復号化処理を行い、公衆回線（ＩＳＤＮ網／ＰＳＴＮ網）を介したファクシミリ通信、受信したファクシミリ画像の印刷処理を行う。
【００６５】
操作表示部３０２は、画像形成装置３００に対する各種操作を行うための入力キー、表示器を有するユーザーインターフェースである。
【００６６】
次に、画像形成装置３００における警備ステータスの受信処理について説明する。
【００６７】
図６は、画像形成装置３００における警備ステータス受信処理の動作例を示すフローチャートである。
【００６８】
画像形成装置３００は、警備システム端末２０から受信した警備ステースの内容を解析し（Ｓ１０１）、解析した警備ステータスが「センサ装置の作動」である場合（Ｓ１０２作動）、画像形成装置３００は、電源ＯＦＦにする「停止モード」、あるいは、一部の機能を抑制した「警備センサ対応モード」のいずれに移行するか電源制御情報３０５１を参照して判断する（Ｓ１０３）。
【００６９】
「停止モード」の設定の場合（Ｓ１０３ＹＥＳ）、画像形成装置３００は、「停止モード」へのモード切り替え開始を通知する応答データを警備システム端末２０に送信し（Ｓ１０４）、警備システム端末２０への送信が成功すると、電源ＯＦＦ制御を開始する（Ｓ１０５）。
【００７０】
一方、「警備センサ対応モード」にて稼動する設定の場合（Ｓ１０３ＮＯ）、画像形成装置３００は、スキャナ機能、コピー機能、印刷データの受信、ＦＡＸデータの受信による用紙への印刷処理が行われている場合は（Ｓ１０６ＹＥＳ）その処理を中止し（Ｓ１０７）、自動印刷機能を禁止する設定を行い（Ｓ１０８）、また、可聴音に対しては音量レベルを０にする設定変更を行い（Ｓ１０９）、省エネルギーモードへの移行を開始し（Ｓ１１０）、省エネルギーモードへの移行が完了すると警備システム端末２０に「警備センサ対応モード」への移行完了通知を送信する（Ｓ１１１）。
【００７１】
再度、ステップＳ１０２の処理に戻り、警備ステータスが「センサ装置の作動解除」である場合（Ｓ１０２解除）、画像形成装置３００は、「警備センサ対応モード」に移行した際に、可聴音の音量レベルを変更前の設定レベルに戻し（Ｓ１１２）、自動印刷禁止設定を解除し（Ｓ１１３）、省エネルギーモードを解除し（Ｓ１１４）、「通常モード」への復旧完了通知を警備システム端末２０に送信する（Ｓ１１５）。
【実施例２】
【００７２】
次に、本発明の第２の実施の形態として、実施例１に示した警備システム端末２０にて警備される警備エリア８３に設置された各画像形成装置３００が、端末管理サーバ４０にて一元管理されている場合の例を示して説明する。
【００７３】
図７は、本発明の画像形成装置および誤警報防止システムの第２の例を示すシステム構成図である。
【００７４】
図７において、端末管理サーバ４０は、ネットワーク５０を介して接続される画像形成装置３００を端末管理情報４５１に登録して一元管理する。
【００７５】
また、端末管理サーバ４０は、警備システム端末２０からネットワーク５０を介して警備ステータスを受信し、受信した警備ステータスのモード種別に応じて、端末管理情報４５１にて管理される各画像形成装置３００に対応する電源制御情報４５２、動作制御情報４５３を特定して画像形成装置３００に送信し、警備ステータスが「警備センサ対応モード」である場合、画像形成装置３００は、警備センサ６０に反応する動作、機能を端末管理サーバ４０から受信した動作制御情報４５３に基づいて、動作モードの切り替え制御を行い、電源制御情報４５２に基づいて、省エネルギーモードへの移行、電源ＯＦＦを制御する。
【００７６】
図８は、図７に示した端末管理サーバ４０の制御構成を示すブロック図である。
【００７７】
図８において、端末管理サーバ４０は、システム制御部４１、通信制御部４２、端末管理サーバ記憶部４５を有する。
【００７８】
端末管理サーバ４０において、システム制御部４１は、端末管理サーバ４０全体の制御を行い、ネットワーク５０上に接続された画像形成装置３００の端末管理を行うために、各装置にて管理されている機器情報を定期的に収集し、警備システム端末２０から警備ステータスを受信すると、各画像形成装置３００に対して電源制御、動作制御をネットワーク５０経由で制御する。
【００７９】
端末管理サーバ記憶部４５は、端末管理情報４５１、電源制御情報４５２、動作制御情報４５３を記憶して管理する。
【００８０】
図９は、端末管理情報４５１、電源制御情報４５２、動作制御情報４５３の登録内容の例である。
【００８１】
端末管理情報４５１は、ネットワーク５０に接続された画像形成装置３００、警備システム端末２０の装置を識別する情報、装置名称、アドレス情報をそれぞれ記憶して管理する。
【００８２】
動作制御情報４５３は、端末管理情報４５１に登録した画像形成装置３００に対して、「警備センサ対応モード」における動作の禁止、禁止解除、あるいは、制御パラメータが端末ＩＤ毎に記録される。
【００８３】
電源制御情報４５２は、端末管理情報４５１に登録した画像形成装置３００に対して、「警備センサ対応モード」に移行した際、省エネルギーモードに移行するか、電源ＯＦＦにするか端末ＩＤ毎に記録される。
【００８４】
通信制御部４２は、ネットワーク５０にて接続される警備システム端末２０、画像形成装置３００との間においてデータ通信制御を行う。
【００８５】
操作表示部４３は、端末管理情報４５１、電源制御情報４５２、動作制御情報４５３の設定操作を行うための入力キー、表示器を有するユーザーインターフェースである。
【００８６】
図１０は、図７に示した警備システム端末２０の制御構成を示すブロック図である。
【００８７】
図１０に示した警備システム端末２０の制御構成において、記憶部２５に記憶される端末管理情報２５１に記憶される情報は、実施例１においては、リモートにて稼動制御を行う画像形成装置３００のアドレス情報、装置名称を含む情報であったのに対して、実施例２においては、端末管理サーバ４０のアドレス情報、装置名称のみを記録している。
【００８８】
システム制御部２１は、警備センサ６０の作動、作動解除の操作を操作表示部２３にて検出すると、端末管理情報２５１に登録された端末管理サーバ４０に警備ステータスを通知する。
【００８９】
図１１は、図７に示した画像形成装置３００の制御構成を示すブロック図である。
【００９０】
実施例１の構成では、電源制御情報３０５１、動作制御情報３０５２を自装置に設定して記憶していたが、実施例２においては、端末管理サーバ４０にて一元管理され、警備システムの警備センサ６０が作動もしくは作動停止した際に、端末管理サーバ４０から都度受信して、動作モードの切り替え、電源制御を行う。
【００９１】
図１１において、リモート制御部３０１１は、端末管理サーバ４０から受信した動作制御情報４５３に基づいて、警備センサ６０にて検出される音、光、熱を発する動作の禁止、禁止解除制御、電源制御情報４５２に基づく電源制御を画像形成装置制御部３０１に指示する。
【００９２】
図１２は、図７に示した誤警報防止システムにおける警備センサ６０の作動および作動解除処理を示したシーケンス図である。
【００９３】
警備システム端末２０に対して最終退勤者８１が警備センサ６０の作動開始操作を行うと、警備システム端末２０は、端末管理サーバ４０に対して「警備ステータス」を送信する。
【００９４】
端末管理サーバ４０は、警備システム端末２０から警備ステータスを受信すると、警報ステータスのモード種別に対応した動作制御情報４５３と電源制御情報４５２を端末管理情報４５１にて管理される各画像形成装置３００に送信する。
【００９５】
動作制御情報４５３と電源制御情報４５２を受信した画像形成装置３００は、「警備センサ対応モード」への移行制御を行い、移行制御が完了すると動作完了応答を端末管理サーバ４０に送信する。
【００９６】
端末管理サーバ４０は、端末管理情報４５１に基づいて電源制御情報４５２、動作制御情報４５３を送信した各画像形成装置３００から「警備センサ対応モード」への移行完了応答を所定の時間内に全て受信すると、「通常モード」から「警備センサ対応モード」への移行完了通知を警備システム端末２０に対して送信する。
【００９７】
警備システム端末２０は、端末管理サーバ４０から「警備センサ対応モード」への移行完了応答を受信すると、警備センサ６０による警備エリア８３の監視を開始し、警備システムの作動を、公衆回線７０を介して警報センタ装置１０に送信する。
【００９８】
警備システム端末２０に対して出勤者８２が警備センサ６０の作動解除操作が行われると、警備システム端末２０は、警備センサ６０の作動を停止し、端末管理サーバ４０に対して警備センサ６０の作動解除を通知する警備ステータスを送信する。
【００９９】
警備ステータスを受信した端末管理サーバ４０は、端末管理情報４５１に登録されている画像形成装置３００に対して、「通常モード」への復帰制御を行う動作制御情報４５３と電源制御情報４５２を送信する。
【０１００】
画像形成装置３００は、動作制御情報４５３と電源制御情報４５２を受信して「通常モード」への復帰制御を行い、禁止した各種機能の禁止解除設定、省エネルギーモードからの復帰制御を行い、動作制御情報に対する処理完了応答を端末管理サーバ４０に送信する。
【０１０１】
端末管理サーバ４０は、端末管理情報において、「警備センサ対応モード」への動作制御情報にて電源ＯＦＦの指示を行った画像形成装置３００以外（図１２では「画像形成装置Ｂ」）の画像形成装置３００全てから「通常モード」への復帰完了応答を受信すると、警備システム端末２０に対して、警備センサ６０の作動解除に対する「通常モード」への復旧完了通知を行う。
【０１０２】
警備システム端末２０は、端末管理サーバ４０から警備センサ６０の作動解除による「通常モード」への復旧完了通知を受信すると、警備センサ６０の作動解除通知を警報センタ装置１０に送信する。
【０１０３】
また、「警備センサ対応モード」に移行した際に電源ＯＦＦ制御を行った画像形成装置３００（図１２の画像形成装置Ｂ）は、警備システム作動解除後に、手動による電源投入処理を行って「通常モード」への復帰を行い、端末管理サーバ４０に対して、起動通知を行う。
【０１０４】
なお、上記実施例２の警備システムにおいて、端末管理サーバ４０は、警備システム端末２０から受信した警備ステータスを各画像形成装置３００に転送して通知する構成にし、警備ステータスに対するモード別の電源制御情報３０５１、動作制御情報３０５２を実施例１と同様に画像形成装置３００側にて記憶し、画像形成装置３００は、管理サーバから警備ステータスを受信した際は、自装置の電源制御情報３０５１、動作制御情報３０５２を参照して制御するようにしてもよい。
【０１０５】
また、実施例１、実施例２の双方において、警報センタ装置１０と、警備システム端末２０との間において、警備センサ６０の作動完了通知、作動解除完了通知、異常の検出通知は、インターネットを介したデータ通信制御にて行うようにしてもよい。
【産業上の利用可能性】
【０１０６】
本発明の画像形成装置および誤警報防止システムは、センサ装置にて監視される警備エリアに、警備システムの各種センサ装置が反応する熱、音、光を発する装置が設置されている場合に利用可能であり、特に、警備システムが作動している時間帯においても、装置が提供する一部の自動機能を使用する場合、もしくは、電源ＯＦＦ、省エネルギーモードへの移行により節電制御が必要な場合に有効である。
【図面の簡単な説明】
【０１０７】
【図１】本発明の画像形成装置および誤警報防止システムの第１の構成例を示すシステム構成図。
【図２】図１の誤警報防止システムにおけるセンサ装置の作動、センサ装置作動解除までの処理手順を示したシーケンス図。
【図３】図１に示した警備システム端末の制御構成を示すブロック図。
【図４】図１に示した画像形成装置の制御構成を示すブロック図。
【図５】警備システム端末にて管理される、端末管理情報の登録内容の例を示す図。
【図６】画像形成装置における警備ステータス受信処理の動作例を示すフローチャート。
【図７】本発明の画像形成装置および誤警報防止システムの第２の構成例を示したブロック図。
【図８】実施例２の端末管理サーバの制御構成を示すブロック図。
【図９】端末管理サーバに記憶される端末管理情報、電源制御情報、動作制御情報の登録内容の例を示す図。
【図１０】実施例２の警備システム端末の制御構成を示すブロック図。
【図１１】実施例２の画像形成装置の制御構成を示すブロック図。
【図１２】実施例２の誤警報防止システムにおけるセンサ装置の作動、センサ装置作動解除までの処理手順を示したシーケンス図。
【符号の説明】
【０１０８】
１０    警報センタ装置
２０    警備システム端末
２１    システム制御部  
２１１    リモート制御部
２２    通信制御部
２２１    ＩＰ網通信制御部
２２２    公衆網通信制御部
２３    操作表示部
２５    記憶部
２５１    端末管理情報
２４    センサ管理部
３００    画像形成装置
３０１    画像形成装置制御部
３０１１    リモート制御部
３０３    通信制御部
３０４    画像処理部
３０５    画像形成装置記憶部
３０５３    画像蓄積部
３０８    スキャナユニット
３０９    プリンタユニット
３１０    ＦＡＸユニット
３０２    操作表示部
３０５１    電源制御情報
３０５２    動作制御情報
５０    ネットワーク
４０    端末管理サーバ
４１    システム制御部
４２    通信制御部
４３    操作表示部
４５    端末管理サーバ記憶部
４５１    端末管理情報
４５２    電源制御情報
４５３    動作制御情報
６０    警備センサ
７０    公衆回線
８１    最終退勤者
８２    出勤者
８３    警備エリア
【図１】
2006272618.tif 000003
【図２】
2006272618.tif 000004
【図３】
2006272618.tif 000005
【図４】
2006272618.tif 000006
【図５】
2006272618.tif 000007
【図６】
2006272618.tif 000008
【図７】
2006272618.tif 000009
【図８】
2006272618.tif 000010
【図９】
2006272618.tif 000011
【図１０】
2006272618.tif 000012
【図１１】
2006272618.tif 000013
【図１２】
2006272618.tif 000014